(57)【特許請求の範囲】
【請求項１】
店舗装置本体の所定位置に設けられ、任意の商品を陳列するショーケースと、
ショーケースの前方を覆い隠す位置とショーケースの前方を開放する位置との間を移動可能に設けられ、任意の商品を販売する自動販売機と、
店舗装置本体の所定位置に設けられた他の自動販売機とを備え、
前記移動可能な自動販売機をショーケースの前方を開放する位置に移動すると、前記他の自動販売機の前方が移動可能な自動販売機によって覆い隠され、移動可能な自動販売機をショーケースの前方を覆い隠す位置に移動すると、他の自動販売機の前方が開放されるように構成した
ことを特徴とする店舗装置。
【請求項２】
複数の前記ショーケースを互いに幅方向に隣り合うように配置し、前記自動販売機を一部または全部のショーケースの前方を覆い隠す位置に移動可能に設けた
ことを特徴とする請求項１記載の店舗装置。
【請求項３】
前記店舗装置本体に、ショーケースの商品を店員によって販売するためのカウンターを設けた
ことを特徴とする請求項１または２記載の店舗装置。
【請求項４】
複数の前記ショーケースを店舗装置本体の所定の面側とその反対側の面側にそれぞれ店舗装置本体の外側を臨むように設け、これらのショーケースの間に店員が通行可能な通路を設けた
ことを特徴とする請求項１、２または３記載の店舗装置。
【請求項５】
前記移動可能な自動販売機を移動方向の任意の位置でロック可能なロック機構を備えた
ことを特徴とする請求項１、２、３または４記載の店舗装置。
【発明の詳細な説明】
【技術分野】
【０００１】
本発明は、例えば駅、空港、その他の公共施設等に設置され、飲料、食料品、菓子等の商品を販売するための店舗装置に関するものである。
【背景技術】
【０００２】
従来、飲料等の商品を販売する自動販売機としては、前面に設けられた商品サンプルから選択した商品を商品選択ボタンの操作により商品取出口に搬出して販売するようにしたものが一般的である（例えば、特許文献１参照。）。また、飲料や食品等の商品を陳列するショーケースとしては、前面を開口したショーケース本体内の商品棚に商品を陳列するとともに、ショーケース本体内を冷気によって冷却するようにしたものが一般的である（例えば、特許文献２参照。）。
【特許文献１】特開２００４−２７２５８７号公報
【特許文献２】特開２００３−３０２１４７号公報
【発明の開示】
【発明が解決しようとする課題】
【０００３】
ところで、前記自動販売機は、利用者が金銭を投入することにより無人で商品を販売することができるため、駅のホームや空港のロビー等、多くの場所に設置することができる。これに対し、前記ショーケースは、商品を陳列しているにすぎないため、店員が利用者から金銭を受け取って商品を販売しなければならず、その設置場所は有人の店舗内に限られるが、弁当や軽食類等、自動販売機では販売できない商品を陳列することができるため、有人店舗に設置することによる利用価値は高い。
【０００４】
そこで、ショーケースを設置した有人店舗の外部に自動販売機を設置する場合もあるが、この場合はショーケースと自動販売機の設置場所が店舗の内外で分かれているため、これらの両方を同時に利用するのは不便であり、それぞれ同種の商品を販売するなど、販売効率が必ずしも高いとはいえなかった。また、自動販売機にショーケースを並設すると、ショーケースが店外に配置されるため、店舗の閉店時にショーケースが外部に露出して商品の管理上好ましくない。また、ショーケースの設置された店内に自動販売機を設置することは、店内スペースの関係上、困難な場合が多い。従って、ショーケースと自動販売機とを効率よく利用できるように設置することができなかった。
【０００５】
本発明は前記問題点に鑑みてなされたものであり、その目的とするところは、ショーケースと自動販売機とを効率よく利用することのできる店舗装置を提供することにある。
【課題を解決するための手段】
【０００６】
本発明は前記目的を達成するために、本発明の店舗装置は、店舗装置本体の所定位置に設けられ、任意の商品を陳列するショーケースと、ショーケースの前方を覆い隠す位置とショーケースの前方を開放する位置との間を移動可能に設けられ、任意の商品を販売する自動販売機と、店舗装置本体の所定位置に設けられた他の自動販売機とを備え、前記移動可能な自動販売機をショーケースの前方を開放する位置に移動すると、前記他の自動販売機の前方が移動可能な自動販売機によって覆い隠され、移動可能な自動販売機をショーケースの前方を覆い隠す位置に移動すると、他の自動販売機の前方が開放されるように構成している。
【０００７】
これにより、自動販売機をショーケースの前方が開放される位置に移動することにより、自動販売機及びショーケースの両方の商品を同時に販売することが可能となり、自動販売機をショーケースの前方が覆い隠される位置に移動することにより、例えば店舗が閉店時に無人となる場合でも、ショーケースが外部に露出することがない。また、移動可能な自動販売機をショーケースの前方が覆い隠される位置に移動すると、他の自動販売機の前方が開放されることから、移動可能な自動販売機によってショーケースの前方を覆い隠した場合でも、ショーケースの代わりに他の自動販売機が利用可能となる。
【発明の効果】
【０００８】
本発明の店舗装置によれば、自動販売機をショーケースの前方が開放される位置に移動することにより、自動販売機及びショーケースの両方の商品を同時に販売することができるので、自動販売機及びショーケースを効率よく利用することができる。また、自動販売機をショーケースの前方が覆い隠される位置に移動することにより、例えば店舗が閉店時に無人となる場合でも、ショーケースを外部に露出させないように格納することができる。更に、移動可能な自動販売機によってショーケースの前方を覆い隠した場合でも、ショーケースの代わりに他の自動販売機が利用可能となるので、他の自動販売機によって商品の販売機会を確保することができる。
【発明を実施するための最良の形態】
【０００９】
図１乃至図１２は本発明の一実施形態を示すもので、図１乃至図８は店舗装置の斜視図、図９乃至図１２はその概略平面図である。
【００１０】
この店舗装置は、駅のホームや空港のロビー等に設置可能に形成された横長の店舗装置本体１０と、任意の商品を販売する複数の第１の自動販売機２０と、任意の商品を販売する複数の第２の自動販売機３０と、任意の商品を陳列する複数のショーケース４０とを備えている。
【００１１】
店舗装置本体１０は長手方向一端側にカウンター１１を有し、長手方向他端側には各第１及び第２の自動販売機２０，３０及び各ショーケース４０が配置されている。カウンター１１は店舗装置本体１０の一端側から前面側及び背面側に亘ってそれぞれ形成され、店舗装置本体１０の一端側のカウンター１１の間には、アイスクリーム等の冷凍商品を収納する冷凍ショーケース１２が設けられている。また、カウンター１１には店員が使用する複数のレジスター１３が設置されている。店舗装置本体１０の前面側及び背面側には一部の第１の自動販売機２０が設置された自動販売機ユニット１４がそれぞれ設けられ、各自動販売機ユニット１４はレール１５上を店舗装置本体１０の長手方向に移動自在に設けられている。この場合、各自動販売機ユニット１４は手動で移動するようにしてもよいし、モータ等の駆動機構により自動で移動するようにしてもよい。また、各自動販売機ユニット１４には、自動販売機ユニット１４を移動方向の任意の位置でロック可能なロック機構１４ａが設けられ、ロック機構１４ａは、例えば手動で操作可能なロック部材を店舗装置本体１０の底面に設けた係合部に係合するように構成されている。尚、ロック機構としては、例えばレール走行用の車輪をロックするようにしたり、電動の場合は駆動機構のギヤをロックするようにしたものであってもよい。
【００１２】
第１の自動販売機２０は、店舗装置本体１０の長手方向他端面側に２台設置され、各自動販売機ユニット１４にそれぞれ２台ずつ設置されている。各自動販売機ユニット１４の幅方向一端側には土産物等の任意の商品を陳列する商品棚２１が設けられ、その幅方向他端側には空き缶や空きペットボトルを収容するゴミ収納箱２２が設けられている。即ち、商品棚２１及びゴミ収納箱２２は、自動販売機ユニット１４によって第１の自動販売機２０と共に移動するようになっている。
【００１３】
第２の自動販売機３０は店舗装置本体１０の前面側及び背面側にそれぞれ外側に臨むように２台ずつ２列に設置され、自動販売機ユニット１４の後方に配置されている。
【００１４】
ショーケース４０は店舗装置本体１０の前面側及び背面側にそれぞれ外側に臨むように３台ずつ２列に設置され、自動販売機ユニット１４の後方に配置されている。この場合、ショーケース４０は第２の自動販売機３０と隣り合うように配置され、店舗装置本体１０の前面側の列と背面側の列の第２の自動販売機３０及びショーケース４０の前方を各自動販売機ユニット１４がそれぞれ幅方向に移動することにより、ショーケース４０及び第２の自動販売機３０の一部が自動販売機ユニット１４によって前方を覆い隠されるようになっている。また、前面側の列の第２の自動販売機３０及びショーケース４０と、背面側の列の第２の自動販売機３０及びショーケース４０との間には店員が通行可能な通路１６が設けられ、カウンター１１の内側と通路１６との間を店員が移動可能になっている。
【００１５】
以上のように構成された店舗装置においては、第１の自動販売機２０では缶入り飲料やペットボトル入り飲料等の商品が販売され、第２の自動販売機３０では菓子、パン、つまみ類等の商品が販売される。また、ショーケース４０には弁当、軽食類、飲料等の商品が陳列され、ショーケース４０の商品はカウンター１１内の定員によって販売される。
【００１６】
ここで、例えば前記店舗装置を用いた店舗の営業時間が午前７時から午後８時までとすると、開店から午前１１時までの第１の営業時間帯では、図１、図２及び図９に示すように店舗装置本体１０の前面側及び背面側のショーケース４０を１台ずつ自動販売機ユニット１４によって覆い隠し、前面側及び背面側の第２の自動販売機３０の全てを自動販売機ユニット１４によって覆い隠す位置に各自動販売機ユニット１４を移動することにより、前面側及び背面側の２台ずつのショーケース４０の前方を開放する。即ち、第１の営業時間帯は、主に朝食用のおにぎり、サンドイッチ等の軽食類や飲料等を購入する利用者が多いため、軽食類や飲料を前面側及び背面側の２台ずつのショーケース４０に陳列するとともに、各第１の自動販売機２０によっても飲料を販売する。
【００１７】
次に、午前１１時から午後４時までの第２の営業時間帯では、図３、図４及び図１０に示すように各自動販売機ユニット１４を更に店舗装置本体１０の他端側に移動することにより、前面側及び背面側の第２の自動販売機３０の全てを自動販売機ユニット１４によって覆い隠したまま前面側及び背面側の３台ずつの全てのショーケース４０の前方を開放する。即ち、第２の営業時間帯は、主に昼食用の弁当、軽食類や飲料を購入する利用者が多いため、前面側及び背面側の第２の自動販売機３０を３台ずつに増やして弁当、軽食類、飲料等を陳列するとともに、各第１の自動販売機２０によっても飲料を販売する。
【００１８】
続いて、午後４時から閉店までの第３の営業時間帯では、図５、図６及び図１１に示すように店舗装置本体１０の前面側及び背面側のショーケース４０を２台ずつ自動販売機ユニット１４によって覆い隠し、前面側及び背面側の第２の自動販売機３０を１台ずつ自動販売機ユニット１４によって覆い隠す位置に各自動販売機ユニット１４を移動することにより、前面側及び背面側の１台ずつのショーケース４０の前方と、前面側及び背面側の１台ずつの第２の自動販売機３０の前方をそれぞれ開放する。即ち、第３の営業時間帯は、主に菓子、おつまみ類や飲料を購入する利用者が多いため、前面側及び背面側の１台ずつのショーケース４０で飲料を陳列するとともに、前面側及び背面側の１台ずつの第２の自動販売機３０で菓子やおつまみ類を販売し、各第１の自動販売機２０によっても飲料を販売する。
【００１９】
また、第１乃至第３の営業時間帯では、自動販売機ユニット１４の商品棚２１の商品、カウンター１１の冷凍ショーケース１２の商品、カウンター１１内のその他の商品がカウンター１１内の定員によって販売される。
【００２０】
そして、閉店から開店までの閉店時間帯では、図７、図８及び図１２に示すように店舗装置本体１０の前面側及び背面側のショーケース４０を全て自動販売機ユニット１４によって覆い隠す位置に各自動販売機ユニット１４を移動することにより、前面側及び背面側の２台ずつの全ての第２の自動販売機３０の前方を開放する。また、店舗が無人となるため、カウンター１１が露出しないように店舗装置本体１０の一端側をカバー１７で覆い隠す。即ち、閉店時間帯は、第３の営業時間帯と同様、主に菓子、おつまみ類や飲料を購入する利用者が多く、開店までの時間も長いため、前面側及び背面側の第２の自動販売機３０を２台ずつに増やして菓子やおつまみ類を販売するとともに、各第１の自動販売機２０によって飲料を販売する。
【００２１】
このように、本実施形態の店舗装置によれば、第１の自動販売機２０が設置された自動販売機ユニット１４をショーケース４０の前方を覆い隠す位置とショーケース４０の前方を開放する位置にそれぞれ移動可能に設けたので、自動販売機ユニット１４をショーケース４０の前方が開放される位置に移動することにより、第１の自動販売機２０及びショーケース４０の両方の商品を同時に販売することができ、第１の自動販売機２０及びショーケース４０を効率よく利用することができる。また、自動販売機ユニット１４をショーケース４０の前方が覆い隠される位置に移動することにより、例えば店舗が閉店時に無人となる場合でも、ショーケース４０を外部に露出させないように格納することができる。この場合、ショーケース４０の前面が自動販売機ユニット１４で覆われるため、例えばショーケース４０内の商品を冷蔵している場合には、冷気の漏れや外気の侵入を少なくすることができ、省エネルギー効果を得ることもできる。
【００２２】
また、店舗装置本体１０に複数のショーケース４０を設けるとともに、自動販売機ユニット１４を移動することにより、自動販売機ユニット１４によって一部または全部のショーケース４０の前方を覆い隠すようにしたので、例えば営業時間帯によって売れ筋の商品が異なる場合など、利用可能なショーケース４０の台数を販売状況に応じて任意に増減することができる。
【００２３】
更に、自動販売機ユニット１４を第２の自動販売機３０の前方を覆い隠す位置と前方を開放する位置にそれぞれ移動可能に設け、自動販売機ユニット１４をショーケース４０の前方が覆い隠される位置に移動すると、第２の自動販売機３０の前方が開放されるようにしたので、自動販売機ユニット１４によってショーケース４０の前方を覆い隠した場合でも、ショーケース４０の代わりに第２の自動販売機３０が利用可能となり、第２の自動販売機３０によって商品の販売機会を確保することができる。
【００２４】
また、店舗装置本体１０にショーケース４０の商品を店員によって販売するためのカウンター１１を設けたので、ショーケース４０の商品を速やかに購入することができ、利用者に対する利便性を向上させることができる。
【００２５】
更に、ショーケース４０を店舗装置本体１０の前面側と背面側に二列に配置するとともに、前面側のショーケース４０と背面側のショーケース４０との間に店員が通行可能な通路１６を設けたので、各ショーケース４０に通路１６から商品を補充することができ、商品の補充作業を効率よく行うことができる。
【００２６】
また、各自動販売機ユニット１４を移動方向の任意の位置でロック可能なロック機構１４ａを備えているので、各自動販売機ユニット１４を前記各時間帯の移動位置でロックすることにより、各自動販売機ユニット１４が不用意に移動することがなく、特に閉店時間帯においては、ショーケース４０を覆う自動販売機ユニット１４が動かされてショーケース４０内の商品が無断で持ち出されるといった不正行為を効果的に防止することができる。
【００２７】
尚、前記実施形態では、第１の自動販売機２０を自動販売機ユニット１４に設けたものを示したが、このようなユニットを用いずに、第１の自動販売機２０を直接レール１５上に移動自在に設けるようにしてもよい。
【図面の簡単な説明】
【００２８】
【図１】本発明の一実施形態を示す店舗装置の斜視図
【図２】店舗装置の斜視図
【図３】店舗装置の斜視図
【図４】店舗装置の斜視図
【図５】店舗装置の斜視図
【図６】店舗装置の斜視図
【図７】店舗装置の斜視図
【図８】店舗装置の斜視図
【図９】店舗装置の概略平面図
【図１０】店舗装置の概略平面図
【図１１】店舗装置の概略平面図
【図１２】店舗装置の概略平面図
【符号の説明】
【００２９】
１０…店舗装置本体、１１…カウンター、１４…自動販売機ユニット、１４ａ…ロック機構、１６…通路、２０…第１の自動販売機、３０…第２の自動販売機、４０…ショーケース。
【図１】
0004926897.tif 000002
【図２】
0004926897.tif 000003
【図３】
0004926897.tif 000004
【図４】
0004926897.tif 000005
【図５】
0004926897.tif 000006
【図６】
0004926897.tif 000007
【図７】
0004926897.tif 000008
【図８】
0004926897.tif 000009
【図９】
0004926897.tif 000010
【図１０】
0004926897.tif 000011
【図１１】
0004926897.tif 000012
【図１２】
0004926897.tif 000013